(57)【要約】【課題】ヘアードライヤー等の電気製品において、深みのある色合いを多彩なバリエーションで表現することができるハウジングを提供する。【解決手段】ヘアードライヤー等の電気製品のハウジング１である。外ケース１１及び内ケース１２からなる二重殻状に形成し、外ケース１１を透明又は半透明に形成するとともに、内ケース１２を透明又は半透明又は不透明に形成した。【選択図】        図１
2004216066.tif 000002
【特許請求の範囲】
【請求項１】
ヘアードライヤー等の電気製品のハウジングであって、外ケース及び内ケースからなる二重殻状に形成し、外ケースを透明又は半透明に形成するとともに、内ケースを透明又は半透明又は不透明に形成して成ることを特徴とするハウジング。
【請求項２】
ヘアードライヤーのハウジングであって、吸込口及び吐風口を有すると共に、内ケーシングの内部にファンとモーターと整流翼とヒーター部とを備えて成ることを特徴とする請求項１記載のハウジング。
【請求項３】
外ケース全体を着色して且つ透明又は半透明に形成し、内ケースを着色して且つ不透明に形成すると共に、該内ケースの表面に塗装等の表面処理を施して成ることを特徴とする請求項２記載のハウジング。
【請求項４】
外ケースの表面に商品ロゴ等の印刷処理を施して成ることを特徴とする請求項２又は３記載のハウジング。
【請求項５】
内ケースの表面に商品ロゴ等の印刷処理を施して成ることを特徴とする請求項２乃至４記載のハウジング。
【発明の詳細な説明】
【０００１】
【発明の属する技術分野】
本発明は、ヘアードライヤー等の電気製品のハウジングに関するものである。
【０００２】
【従来の技術】
従来より、ヘアードライヤーやヘアーアイロン等の電気製品において、外殻となるケーシングを半透明に形成して深みのある色合いを表現したものがある（例えば特許文献１参照）。
【０００３】
これは、本体ケースを半透明のプラスチックで成形するとともに、この本体ケースの内面にプラスチックシートからなる呈色体を接着したものである。
【０００４】
しかしながらこのものにあっては、本体ケースの内面の呈色体が薄いプラスチックシートであり、本体ケースを透明にするとその目的である上述したような深みのある色合いが表現できなくなるため、本体ケースを透明にすることができず深みのある色合いのバリエーションが少ないものであった。さらにこれに加えて、モーター停止時等にヒーター部にて異常発熱が発生した場合、本体ケースの内面の呈色体であるプラスチックシートが容易に溶融し、本体ケースを透明にしていた場合にはその溶融した部分が使用者から見えて不安感を与えるため、本体ケースを透明にすることは好ましくないものである。
【０００５】
また、呈色体としてプラスチックシートを本体ケースの内面に接着して本体ケースと呈色体とが密着状態となっているため、本体ケースの厚みでしか深みのある色合いを表現することができないものであった。
【０００６】
【特許文献１】
特開２００１−６１５３６号公報
【０００７】
【発明が解決しようとする課題】
本発明は上記の点に鑑みてなされたものであり、その目的とするところは、ヘアードライヤー等の電気製品において、深みのある色合いを多彩なバリエーションで表現することができるハウジングを提供することを課題とするものである。
【０００８】
【課題を解決するための手段】
上記課題を解決するために本発明に係るハウジングは、ヘアードライヤー等の電気製品のハウジング１であって、外ケース１１及び内ケース１２からなる二重殻状に形成し、外ケース１１を透明又は半透明に形成するとともに、内ケース１２を透明又は半透明又は不透明に形成して成ることを特徴とするものである。ハウジングの厚みが厚いのが見えて深みのある色合いを表現することができるとともに、深みのある色合いを多彩なバリエーションで表現することができる。
【０００９】
また、ヘアードライヤーのハウジング１であって、吸込口３１及び吐風口３２を有すると共に、内ケーシング１２の内部にファン４１とモーター４２と整流翼４３とヒーター部４４とを備えることが好ましい。このような構成とすることで、ヘアードライヤーにおいて深みのある色合いを表現することが可能となる。
【００１０】
また、外ケース１１全体を着色して且つ透明又は半透明に形成し、内ケース１２を着色して且つ不透明に形成すると共に、該内ケース１２の表面に塗装等の表面処理を施すことが好ましい。このように、内ケース１２に表面処理を施してより一層深みのある色合いを表現することが可能となる。
【００１１】
また、外ケース１１の表面に商品ロゴ等の印刷処理を施すことが好ましい。このような構成とすることで、外ケース１１の印刷処理した印刷表示５が内ケース１２の表面に影となって写し出されることとなり、より一層深みのある表示や色合いを表現することができる。
【００１２】
また、内ケース１２の表面に商品ロゴ等の印刷処理を施すことが好ましい。このような構成とすることで、内ケース１２の印刷処理した印刷表示５がハウジング１外に露出しないため、直接触れることなく印刷のかすれ、はがれ等の発生を防止することができる。
【００１３】
【発明の実施の形態】
以下、本発明を添付図面に示す実施形態に基づいて説明する。なお、本実施形態では、電気製品としてヘアードライヤーについて説明するが、特にこれに限定されるものではなく、電気製品としてはヘアーセッター、ヘアーアイロン、ヘアーストレーター、ホットカーラー、超音波美顔器、スチーマー、泡ウォッシュ、スポットクリア、フットスパ、他に様々なものがある。
【００１４】
ヘアードライヤーは、図１，図２に示すように、内部に機器が収納される本体ハウジング１と、ハウジング１の下部から下方に突設される把手部２とで主体が構成される。
【００１５】
ハウジング１は、後で詳述する外ケース１１と内ケース１２とで構成されて外殻となるもので、筒状をした内ケース１２の外側に隙間Ｓ（図２参照）を介して筒状をした外ケース１１を配置して二重筒状に形成してある。この外ケース１１と内ケース１２とからなるハウジング１の後端部の開口には、異物が侵入しないように網や格子状の部材を設けた吸気口３１が形成してあり、またハウジング１の前端部の開口は、温風を吐出する吐出口３２が形成してある。
【００１６】
このようなハウジング１の内部（即ち内ケース１２の内部）は空気経路となるもので、空気経路には、ファン４１及び該ファン４１を駆動するためのモーター４２と、整流翼４３と、空気を加温するためのヒーター部４４が配設してあり、空気を吸気口３１から吸い込んで吐出口３２から温風を吐出することができる。
また、把手部２には、電源スイッチ２１と切り換えスイッチ２２が設けてあり、切り換えスイッチ２２にて温風・通常の風の切り換えや温風の風量等を切り換えることができる。
【００１７】
このようなヘアードライヤーのハウジング１においては、外観に重厚さを持たせるべく深みのある色合いとするため、外ケース１１を透明又は半透明に形成するとともに、内ケース１２を透明又は半透明又は不透明に形成する。
【００１８】
本実施形態では、外ケース１１は、透明又は半透明な状態で着色してあり、また、内ケース１２は、着色して不透明とするとともに、表面にメッキ、転写、印刷、シール、蒸着等の塗装を施してある。
【００１９】
このように、ハウジング１を外ケース１１及び内ケース１２からなる二重殻状に形成し、外ケース１１を透明又は半透明に形成することで、外ケース１１の内側深くに内ケース１２が見えるため、ハウジング１の厚みが厚いのが見えて深みのある色合いを表現することができ、重厚感を与えることができる。さらに、外ケース１１を透明又は不透明として着色し、内ケース１２を着色したりすることで、様々な深みのある色合いを多彩なバリエーションで表現することができる。
【００２０】
また、外ケース１１及び内ケース１２からなる二重殻状に形成するため、外ケース１１と内ケース１２との間に隙間Ｓを容易に形成することができて、より一層重厚感を与えることができ、また、隙間Ｓを介した二重殻状となっているため、ヒーター部４４等にて異常発熱が発生しても、外ケース１１が変形したりすることないとともに、内ケース１２を不透明に形成しておくことで内ケース内１２での熱変形等が見えずに不安感を与えることがない。
【００２１】
次に、本実施形態の他例について図３に基づいて説明する。このものにあっては、図３に示すように、ハウジング１の外ケース１１に商品名や社名からなるロゴマーク等を印刷処理した印刷表示５が施してある。
【００２２】
これによって、外ケース１１の印刷表示５が内ケース１２の表面に影となって写し出されることとなり、深みのある表示や色合いを表現することができる。
【００２３】
次に、本実施形態の更に他例について図４に基づいて説明する。このものにあっては、図４に示すように、ハウジング１の内ケース１２に商品名や社名からなるロゴマーク等を印刷処理した印刷表示５が施してある。
【００２４】
これによって、内ケース１２の印刷表示５がハウジング１外に露出しないため、直接触れることなく印刷のかすれ、はがれ等の発生を防止することができる。
【００２５】
【発明の効果】
上記のように本発明の請求項１記載の発明にあっては、ヘアードライヤー等の電気製品のハウジングであって、外ケース及び内ケースからなる二重殻状に形成し、外ケースを透明又は半透明に形成するとともに、内ケースを透明又は半透明又は不透明に形成したので、ハウジングの厚みが厚いのが見えて深みのある色合いを表現することができるとともに、深みのある色合いを多彩なバリエーションで表現することができる。また、ハウジングを二重殻状に形成するため、外ケースと内ケースとの間に隙間を容易に形成することができて、より一層重厚感を与えることができ、また、隙間を介した二重殻状とするめ、ヒーター部等にて異常発熱が発生しても、外ケースが変形したりすることないとともに、内ケースを不透明に形成しておくことで内ケース内での熱変形等が見えずに不安感を与えることがないものである。
【００２６】
また請求項２記載の発明にあっては、上記請求項１記載の発明の効果に加えて、ヘアードライヤーのハウジングであって、吐風口及び吸込口を有すると共に、内ケーシングの内部にファンとモーターと整流翼とヒーター部とを備えたので、ヘアードライヤーにおいて深みのある色合いを表現することが可能となる。
【００２７】
また請求項３記載の発明にあっては、上記請求項２記載の発明の効果に加えて、外ケース全体を着色して且つ透明又は半透明に形成し、内ケースを着色して且つ不透明に形成すると共に、該内ケースの表面に塗装等の表面処理を施したので、より一層深みのある色合いを表現することが可能となる。
【００２８】
また請求項４記載の発明にあっては、上記請求項２又は３記載の発明の効果に加えて、外ケースの表面に商品ロゴ等の印刷処理を施したので、外ケースの印刷表示が内ケースの表面に影となって写し出されることとなって、より一層深みのある表示や色合いを表現することができる。
【００２９】
また請求項５記載の発明にあっては、上記請求項２乃至４記載の発明の効果に加えて、内ケースの表面に商品ロゴ等の印刷処理を施したので、内ケースの印刷表示がハウジング外に露出しないため、直接触れることなく印刷のかすれ、はがれ等の発生を防止することができる。
【図面の簡単な説明】
【図１】本発明の一実施形態の側断面図である。
【図２】同上の要部拡大図である。
【図３】同上の他例の側面図である。
【図４】同上の更に他例の一部切欠した側面図である。
【符号の説明】
１  ハウジング
１１  外ケース
１２  内ケース
【図１】
2004216066.tif 000003
【図２】
2004216066.tif 000004
【図３】
2004216066.tif 000005
【図４】
2004216066.tif 000006